(57)【特許請求の範囲】
【請求項１】
肩部（１）の中央に頚部（３）を立設するとともに前記肩部（１）の外周に装飾板（１４）を嵌着した上向き段部（１３）を周設した有底筒状の胴部（４）からなる容器本体（５）と；前記容器本体（５）の頚部（３）に嵌合する蓋体（９）と；からなる容器に於いて、
文字、模様等を印刷したシュリンクフイルム（１１）が前記胴部（４）から底部（１０）にかけて屈曲して延びるとともに前記上向き段部（１３）に屈曲して延びて密着してなることを特徴とする加飾容器。
【請求項２】
肩部（１）の中央に頚部（３）を立設するとともに前記肩部（１）の外周と底部（１０）の外周とに段部（１３、１５）を周設し、前記各段部（１３、１５）にそれぞれ装飾板（１４、１６）を嵌着した容器本体（５）
と；前記容器本体（５）の頚部（３）に嵌合する蓋体（９）と；からなる容器に於いて、文字、模様等を印刷したシュリンクフイルム（１１）が胴部（４）から上向き段部（１３）及び下向き段部（１５）に屈曲して延びて密着してなることを特徴とする加飾容器。
【請求項３】
前記シュリンクフイルム（１１）が紫外線吸収剤を含有していることを特徴とする請求項１又は２記載の加飾容器。
【発明の詳細な説明】
【０００１】
【産業上の利用分野】
本発明は、文字や模様が印刷されたシュリンクフイルムで加飾された容器に関する。
【０００２】
【従来の技術】
化粧品、医薬品、食品等を入れる容器は、例えば、ホットスタンプ、熱転写、インモールド等の周知の方法で外周面に種々の加飾が行われているが、これらの加飾方法と同様に安価で多彩な印刷が可能であり、且つ簡便に容器の外周面を加飾することができる熱収縮性合成樹脂フイルム（以下「シュリンクフイルム」という）を用いた加飾も広く行われている。
【０００３】
ところで、従来のシュリンクフイルムによる容器の加飾は簡便ではあるが、容器の胴部に被着したシュリンクフイルムの上下の周端縁が容器の外面に露出して見苦しくなるうえに、この両周端縁に手指が引掛かってシュリンクフイルムのまくれ破損や汚れの原因にもなる欠点を有していた。そこで、図８に示すように、シュリンクフイルム５９が被着される容器５１の胴部５２を容器５１の肩部５３及び底部５４の外径よりわずかに小径に形成して容器５１の上下に内向きの段部５５，５６を周設し、この上下の段部５５，５６によってシュリンクフイルム５９の上下の周端縁５７，５８が手指に触れないように工夫がなされている。
【０００４】
【発明が解決しようとする課題】
上述した従来のシュリンクフイルム５９により加飾された容器５１にあっては、シュリンクフイルム５９の周端縁５７，５８は手指が引掛からない構造になってはいるが、容器５１の肩部５３が加飾されないうえに、容器５１のデザインの制約度が大きく、粗悪品安物の容器のイメージが強かった。従って、容器の外観の美しさや豪華さが要求されるうえに、内容物によっては紫外線による劣化をできるだけ防止することが望まれる化粧品容器には、シュリンクフイルムによる加飾の容器は対応がとれていなかった。
【０００５】
本発明は、上記の問題に鑑みてなされたもので、被着されたシュリンクフイルムの周端縁が人目に触れず美しく加飾されるとともに、紫外線を遮断することができる加飾容器を提供することを目的としている。
【０００６】
【課題を解決するための手段】
本発明の請求項１に係わる加飾容器は、肩部の中央に頚部を立設するとともに前記肩部の外周に装飾板を嵌着した上向き段部を周設した有底筒状の胴部からなる容器本体と；前記容器本体の頚部に嵌合する蓋体と；からなる容器に於いて、文字、模様等を印刷したシュリンクフイルムが胴部から底部にかけて屈曲して延びるとともに前記上向き段部に屈曲して延びて密着してなることを特徴としている。
【０００７】
本発明の請求項２に係わる加飾容器は、肩部の中央に頚部を立設するとともに前記肩部の外周と底部の外周とに段部を周設し、前記段部にそれぞれ装飾板を嵌着した容器本体と；前記容器本体の頚部に嵌合する蓋体と；からなる容器に於いて、文字、模様等を印刷したシュリンクフイルムが胴部から上向き段部及び下向き段部に屈曲して延びて密着してなることを特徴としている。
【０００８】
本発明の請求項３に係わる加飾容器は、請求項１又は２記載の加飾容器に係わり、シュリンクフイルムが紫外線吸収剤を含有していることを特徴としている。
【０００９】
【作用】
前記請求項１に係わる加飾容器においては、シュリンクフイルムが胴部から底部にかけて屈曲して延びるとともに肩部の外周に周設した上向き段部の上面に屈曲して延びて密着して設けられ、上向き段部には装飾板が嵌着されるので、シュリンクフイルムの上下の周端縁が目に触れることがないうえに、肩部の加飾が任意にできる。
【００１０】
前記請求項２に係わる加飾容器においては、シュリンクフイルムが肩部の外周と底部の外周とにそれぞれ周設された上下段部に屈曲して延びて密着して設けられ、上下段部にはそれぞれ装飾板が嵌着されるので、シュリンクフイルムの上下の周端縁は上下の装飾板により隠蔽されて人目に触れることがないうえに、肩部及び底部の加飾が任意にできる。
【００１１】
前記請求項３に係わる加飾容器においては、上記の作用に加え、シュリンクフイルムが紫外線吸収剤を含有しているので、紫外線の遮断と文字や模様の加飾が同時にできる。
【００１２】
【実施例】
以下、本発明の実施例を添付図面を参照しながら詳細に説明する。図１乃至図３は、本発明に係わる加飾容器の第一実施例を示したものである。
【００１３】
図１に示すように、本実施例に係わる加飾容器は、肩部１の中央の基端部２から頚部３を立設した有底筒状の胴部４からなる容器本体６と、前記頚部３に嵌合し頂壁６から周壁７の下端部８が前記基端部２の周辺回りに垂設された蓋体９と、
容器本体５の胴部４から底部１０にかけて屈曲して延びるとともに肩部１から基端部２の周壁２ａに沿って延びて密着しているシュリンクフイルム１１とから構成されている。
【００１４】
容器本体５は、ガラスや合成樹脂を材料として形成された瓶であり、肩部１の中央に起立した台状の基端部２には、開口端３ａに中栓１２が嵌挿され外周に雄螺子３ｂを螺設した頚部３が基端部２より小径に立設されており、底部１０の外周近傍には、下方に向かって突条１０ａが突設されている。
【００１５】
また、蓋体９は、合成樹脂材料で形成され、内側の天面にパッキン９ａが貼着され頂壁６から垂設された周壁７の内面には前記雄螺子３ｂと螺合する雌螺子７ａが螺設されているとともに、周壁７の下端部８は前記頚部３の基端部２の周回りに迄延びた寸法に形成されている。
【００１６】
また、容器本体を加飾するシュリンクフイルム１１としては、表面あるいは裏面もしくは表裏両面に文字や模様が印刷された熱収縮性の合成樹脂のフイルムが使用され、たとえば、ポリ塩化ビニルフイルム、ポリエチレンテレフタレートフイルム、ポリプロピレンフイルム、ポリスチレンフイルムなど、従来からシュリンクフイルムとして使用されている所望の収縮率を有する熱収縮性合成樹脂フイルムが使用される。
【００１７】
そして、容器本体５を加飾するときは、前記熱収縮性合成樹脂フイルムを用いて容器本体５より径大な円筒状のシュリンクフイルム１１に形成し、この円筒状のシュリンクフイルムを容器本体５の胴部５に被せて位置合わせを行い仮纏着させ、加熱機（図示せず）にて加熱収縮させる。この加熱工程により、シュリンクフイルム１１は容器本体５の胴部５から底部１０にかけて屈曲して延びて、図３に示すようにように、シュリンクフイルム１１の下部周端縁１１ａは底部１０の突条１０ａに当接または近接されて密着されるとともに、上部周端縁１１ｂは、図２に示すように、肩部１から基端部２の周壁２ａに沿って延びて密着される。
【００１８】
以上のように構成された本実施例の加飾容器にあっては、容器本体５の肩部１及び胴部４の下端４ａまで人目に触れる部分はシュリンクフイルム１１によって加飾されるとともに、シュリンクフイルム１１の上部周端縁１１ｂは蓋体９の下端部８内にあって人目からは隠蔽され、且つシュリンクフイルム１１の下部周端縁１１ａも底部１０に迄延びているので、上下各周端縁１１ｂ、１１ａはともに人目に触れることがない。
【００１９】
従って、本実施例の加飾容器によれば、安価なシュリンクフイルム１１を使用しながら化粧品容器としても使用に耐えうる見映えのよい外観に仕上げることができる。
【００２０】
図４乃至図５は、本発明に係わる第二実施例を示すものであり、図において、上記第一実施例と共通する部分については同一符合を付しその説明を省略する。
【００２１】
同図に示すように、この第二実施例に係わる加飾容器は、基本的には第一実施例と同様に、容器本体５、蓋体９およびシュリンクフイルム１１とから構成されるが、本実施例においては、シュリンクフイルム１１は、容器本体５の胴部４から底部１０にかけて屈曲して延びるとともに、容器本体５の肩部１の外周に周設された上向き段部１３の上面１３ａに屈曲して延びて密着して設けられている。
【００２２】
そして、容器本体５の肩部１には装飾板１４が被せられ、装飾板１４には図５のように外周端から周壁１４ａが垂設されていて容器本体５の上向き段部１３に嵌着してシュリンクフイルム１１の上部周端縁１１ｂを周壁１４の内側に隠して人目に触れないように構成されている。尚、装飾板１４は剛性のある着色された合成樹脂材料やアルミニウム等の金属材料を用いて形成され、容器本体５の肩部１に接着剤で接着されている。
【００２３】
以上のように構成された本実施例の加飾容器によれば、シュリンクフイルム１１の上下周端縁１１ｂ，１１ａが人目に触れないように加飾ができるうえに、装飾板１４にホットスタンプや印刷や鍍金などを施すことにより、シュリンクフイルム１１のみの加飾では得られない更に美麗な加飾容器とすることができる。
【００２４】
図６乃至図７は、本発明に係わる第三実施例を示すものであり、図において、上記第一及び第二実施例と共通する部分についは同一符合を付しその説明を省略する。
【００２５】
同図に示すように、この第三実施例に係わる加飾容器は、基本的には第二実施例同様に、容器本体５、蓋体９、シュリンクフイルム１１、および装飾板１４とから構成されるが、本実施例においては、更に容器本体５の底部１０の外周に下向き段部１５が周設され、シュリンクフイルム１１が下向き段部１５の下面１５ａに屈曲して延びて密着して設けられ、下部の装飾板１６の周壁１６ａが下向きの段部１５に嵌合してシュリンクフイルム１１の下部周端縁１１ａを隠蔽した構成になっている（図７参照）。
【００２６】
以上のように構成された本実施例の加飾容器によれば、第二実施例の加飾効果に加えて、底部１０にも装飾板１６を設けたので、更に豪華な加飾容器にすることができる。
【００２７】
次に述べる実施例は、前記各実施例の容器に使用するシュリンクフイルム１１に紫外線吸収剤を含有させたものである。
【００２７】
従来、紫外線を遮断する機能を有するガラス瓶を得るには、ガラス原料中に金属化合物を加え高温で溶融し濃色の着色ガラスにして紫外線を遮断するか、紫外線吸収剤を含有した塗料で瓶の外面を塗装して紫外線を遮断する方法がとられていた（特開昭６１ー１９０４３３号参照）。
【００２８】
しかしながら、前記従来の方法による紫外線の遮断機能を有するガラス瓶は、着色瓶に更に印刷やホットスタンプを施して文字や模様を形成して加飾しなければならず、工程数が多いうえに印刷前の瓶自体が高価になって、高価な加飾容器になることが避けられなかった。
【００２９】
そこで、本実施例の加飾容器にあっては、紫外線吸収剤（例えば日本チバガイギー社製、チヌピン３２７）を含有せしめた熱収縮性の合成樹脂フイルムに文字や模様等、所望の印刷を施したシュリンクフイルム１１を用いて前記各実施例の容器本体５を加飾したもので、前記各実施例における加飾効果に加えて、同時に紫外線を遮断して紫外線による内容物の劣化を防止するようにしたものである。
【００３０】
本実施例の加飾容器によれば、紫外線吸収剤を含有したシュリンクフイルムを用いたことにより紫外線の遮断と文字や模様による加飾とが同時にできるので、紫外線の遮断工程と印刷などの加飾工程を別個に行った従来の加飾容器の製造工程と比べると大幅に工程が簡素化されるとともに、シュリンクフイルム１１による加飾の欠点であるシュリンクフイルム１１の上下周端縁１１ｂ、１１ａを隠蔽するように構成したので粗悪感安物感がなくなって、化粧品にも対応できる見映えを有し、且つ紫外線を遮断した加飾容器を安価に提供できる。
【００３１】
尚、紫外線吸収剤を含有したシュリンクフイルム１１を使用した本発明の加飾容器は、ガラス瓶のみならず合成樹脂製の容器にも好適であることは言うまでもない。
【００３２】
【発明の効果】
本発明に係わる加飾容器によれば、シュリンクフイルムの上下周端縁を人目から隠蔽するように構成したので、シュリンクフイルムの端縁の手指による汚れやめくれによる破損が防止できるとともに、容器本体全体が文字や模様でデザインされた見映えのよい外観を得ることができる。
【００３３】
更に、シュリンクフイルムに紫外線吸収剤を含有させることにより、内容物への紫外線の遮断と文字や模様による加飾とが同時にできるので、製造工程が簡素化されるとともに材料も安価であり、見映えのよい紫外線遮断機能を有する見映えのよい加飾容器を安価に提供できる。
【図面の簡単な説明】
【図１】本発明の第一実施例における加飾容器の半断面図。
【図２】図１に示した実施例における加飾容器の肩部の拡大断面図。
【図３】図１に示した実施例における加飾容器の底部の拡大断面図。
【図４】本発明の第二実施例における加飾容器の半断面図。
【図５】図４に示した加飾容器の肩部の拡大断面図。
【図６】本発明の第三実施例における加飾容器の半断面図。
【図７】図６に示した加飾容器の底部の拡大断面図。
【図８】従来の加飾容器の半断面図。
【符号の説明】
１  肩部、２    基端部、２ａ    周壁、３    頚部、４    胴部、５    容器本体、６    頂壁、７    周壁、８    下端部、９    蓋体、１０    底部、１１    シュリンクフイルム、１３    上向き段部、１４    装飾板、１５    下向き段部、１６    装飾板
【図１】
0003598404.tif 000002
【図２】
0003598404.tif 000003
【図３】
0003598404.tif 000004
【図４】
0003598404.tif 000005
【図５】
0003598404.tif 000006
【図６】
0003598404.tif 000007
【図７】
0003598404.tif 000008
【図８】
0003598404.tif 000009